(57)【要約】  携帯電子機器の支持体は、第１端と、第２端と、上面と、下面とを有するベースストリップを含む。物質層は、ベースストリップの上面に固定される。物質層は、ミクロ吸着カップを有する。剛体の支持部材は、操作位置において、ベースストリップの第２端にて上面から略垂直に延伸するように構成される。
2020510895.tif 000002
【特許請求の範囲】
【請求項１】
第１端と、第２端と、上面と、下面とを有するベースストリップと、
前記ベースストリップの前記上面に固定される物質層であって、ミクロ吸着カップを有する物質層と、
操作位置において、前記ベースストリップの前記第２端にて前記上面から略垂直に延伸する剛体の支持部材と、
を備える、携帯電子機器の支持体。
【請求項２】
連結器が、前記剛体の支持部材との係合のために、前記ベースストリップの前記第２端に配置され、前記剛体の支持部材は前記連結器から着脱可能である、請求項１に記載の携帯電子機器の支持体。
【請求項３】
連結器が、前記ベースストリップの前記第２端に配置され、この連結器は、前記剛体の支持部材が前記操作位置と前記ベースストリップに略平行な格納位置との間を回転することを可能にするヒンジを備える、請求項１に記載の携帯電子機器の支持体。
【請求項４】
前記ベースストリップの前記上面は、中央隆起部を包囲する溝を有し、前記連結器は前記溝内に配置され、前記物質層は中央部に装着され、前記剛体の支持部材が前記格納位置に回転する場合、前記剛体の支持部材は前記溝内に収納される、請求項３に記載の携帯電子機器の支持体。
【請求項５】
第１端と、第２端と、上面と、下面とを有する剛体のベースストリップと、
前記ベースストリップの前記上面に固定される物質層であって、ミクロ吸着カップを有する物質層と、
前記ベースストリップに固定される取付けバンドと、を備え、
前記ベースストリップは、前記取付けバンドによりユーザーの手に装着される、携帯電子機器の支持体。
【請求項６】
操作位置にある場合、前記取付けバンドは、前記ベースストリップの前記下面に取付けられ、前記ベースストリップの前記下面から垂れ下がっている、請求項５に記載の携帯電子機器の支持体。
【請求項７】
格納位置にある場合、前記取付けバンドは、前記ベースストリップの周縁に取付けられ、前記ベースストリップの周縁に沿って配置される、請求項５に記載の携帯電子機器の支持体。
【請求項８】
前記ベースストリップの前記下面は取付けバンド凹部を有し、前記取付けバンドは、前記取付けバンド凹部内の格納位置と前記ベースストリップの前記下面を越えて前記取付けバンド凹部から垂れ下がる操作位置との間において移動可能である、請求項６に記載の携帯電子機器の支持体。
【請求項９】
前記ベースストリップの周縁は取付けバンド凹部を有し、前記取付けバンドは、前記取付けバンド凹部内の格納位置と操作位置との間において移動可能である、請求項７に記載の携帯電子機器の支持体。
【請求項１０】
第１端と、第２端と、上面と、下面とを有する剛体のベースストリップと、
前記ベースストリップの前記上面に固定される物質層であって、ミクロ吸着カップを有する物質層と、
剛体の支持部材と、
前記剛体の支持部材を前記ベースストリップの前記第２端に接続する連結器であって、前記ベースストリップの前記第２端で前記上面から略垂直に延伸する操作位置と前記ベースストリップに略水平な格納位置との間を前記剛体の支持部材が回転することを可能にするヒンジを備える、連結器と、
前記ベースストリップ上の取付けバンドと、
を備え、前記ベースストリップは前記取付けバンドによりユーザーの手に装着され、前記取付けバンドは操作位置と格納位置とを有する、携帯電子機器の支持体。
【請求項１１】
前記取付けバンドは、前記操作位置にある場合、前記ベースストリップの前記底面に取付けられ、前記ベースストリップの前記底面から垂れ下がる、請求項１０に記載の携帯電子機器の支持体。
【請求項１２】
前記取付けバンドは、前記格納位置にある場合、前記ベースストリップの周縁に取付けられ、前記ベースストリップの周縁に沿って配置される、請求項１０に記載の携帯電子機器の支持体。
【請求項１３】
前記ベースストリップの前記下面は、取付けバンド凹部を有し、前記取付けバンドは、前記取付けバンド凹部内の格納位置と前記ベースストリップの前記下面を越えて前記取付けバンド凹部から垂れ下がる前記操作位置との間において移動可能である、請求項１１に記載の携帯電子機器の支持体。
【請求項１４】
前記ベースストリップの周縁は、取付けバンド凹部を有し、前記取付けバンドは、前記取付けバンド凹部内の前記格納位置と前記操作位置との間において移動可能である、請求項１２の携帯電子機器の支持体。
【発明の詳細な説明】
【技術分野】
【０００１】
スマートフォンまたはタブレットコンピュータのような、携帯電子機器の支持体が記載される。
【背景技術】
【０００２】
スマートフォンまたはタブレットコンピュータのような、携帯電子機器は、現在映画を観るために用いられ、ＳＫＹＰＥのような、ビデオ会議アプリケーション用に用いられる。このような使用を促進するために、種々の支持スタンドが開発されている。携帯電子機器の支持スタンドの一例は、米国特許公開２０１２００７４２７１（Ｇｏｅｔｚ）である。
【０００３】
携帯電子機器が落下した場合、破損することは珍しくない。このため、種々の支持体が携帯電子機器または携帯電子機器ケースをユーザーの手に固定するために開発されている。携帯電子機器の落下から守る例は、米国意匠登録第Ｄ７４９，０６９号（Ｓｅｎｏｆｆ）、および以下の米国特許第６，５５０，１０８号（Ｐｒａｔｌ）、米国特許第７，３５４，３０４号（Ｌｉｖｉｎｇｓｔｏｎｅ）、および米国特許第８，５５０，３１７号（Ｈｙｓｅｎｉ）である。
【発明の概要】
【０００４】
第１端と、第２端と、上面と、下面とを有するベースストリップを含む、携帯電子機器の支持体を提供する。物質層は、ベースストリップの上面に固定される。物質層はミクロ吸着カップを有する。剛体の支持部材は、操作位置において、ベースストリップの第２端にて上面から略垂直に延伸するように構成される。
【０００５】
使用において、ベースストリップは、テーブルまたは同様の平面上に置き、携帯電子機器は、映画を観るまたはビデオ会議の目的のため、直立位置において支持される。携帯電子機器の底縁は、ベースストリップ上のミクロ吸着カップにより選択された位置に係合する。その後、携帯電子機器を、ベースストリップの第２端にて上面から略垂直に延伸する剛体の支持部材に立て掛ける。ユーザーは物質層に沿って携帯電子機器のために所望の角度位置決めを選択してもよいことが理解される。
【０００６】
連結器はベースストリップの第２端に位置することが好ましい。連結器は、剛体の支持部材が操作位置とベースストリップに略平行な格納位置との間を回転することを可能にするヒンジとして機能することが好ましい。美的外観を改良し、ユーザーの衣類に引っ掛かる「引っ掛かり」点を避けるために、上面は中央隆起部を包囲する溝を有することが好ましい。連結器は、溝内に位置し、物質層は、中央部に装着される。剛体の支持部材が格納位置に回転する場合、剛体の支持部材は溝内に収納される。
【０００７】
取付けバンドをベースストリップに固定し、ベースストリップを取付けバンドによりユーザーの手に装着すると好ましい。使用において、ベースストリップは、取付けバンドによりユーザーの手に装着する。携帯電子機器の背部には、物質層が存在する。携帯電子機器は、ミクロ吸着カップにより適切な位置に保持される。この利用法は、携帯電子機器がユーザーの手に取り付けられているので、ユーザーが携帯電子機器を落とし、破損することを避けることができる。
【０００８】
以下に詳述するように、取付バンドを設計する種々の方法がある。一実施形態において、取付バンドは、ベースストリップの下面から垂れ下がっている。他の実施形態において、取付バンドは、ベースストリップの周縁に沿って配置され、ベースストリップを取り囲んでいる。
【図面の簡単な説明】
【０００９】
これらの特徴および他の特徴は、以下の説明によりより明らかになり、図面を参照し、図面は、例示のみを目的とし、制限することを意図しない。
【００１０】
【図１】図１は、第１角度方向に配置された携帯電子機器を備える携帯電子機器の支持体の側面視略図である。
【００１１】
【図２】図２は、第２角度位置に配置された携帯電子機器を備える、図１の携帯電子機器の支持体の側面視略図である。
【００１２】
【図３】図３は、図１の携帯電子機器の支持体の底面図である。
【００１３】
【図４】図４は、剛体の支持部材を取り除いた、図１の携帯電子機器の支持体の断面における、側面視略図である。
【００１４】
【図５】図５は、剛体の支持部材が格納位置に回転した、図１の携帯電子機器の支持体の側面視略図である。
【００１５】
【図６】図６は、剛体の支持部材が格納位置にある、携帯電子機器の支持体の商用バージョンの平面図である。
【００１６】
【図７】図７は、剛体の支持部材が格納位置にある、携帯電子機器の支持体の商用バージョンの底面図である。
【００１７】
【図８】図８は、剛体の支持部材が操作位置にある、図６に示す携帯電子機器の支持体の商用バージョンの第１端からの斜視図である。
【００１８】
【図９】図９は、剛体の支持部材が操作位置にある、図６に示す携帯電子機器の支持体の商用バージョンの第２端からの斜視図である。
【００１９】
【図１０】図１０は、図６に示す携帯電子機器の支持体の商用バージョンの下面から視た分解斜視図である。
【００２０】
【図１１】図１１は、図６に示す携帯電子機器の支持体の商用バージョンの上面から視た分解斜視図である。
【発明を実施するための形態】
【００２１】
符号１０により概して特定される携帯電子機器の支持体を、図１から図５を参照して説明する。公衆への販売のために商用化が可能なバージョンの支持体１０を、ベストモード要件に合致するために、図６から図１１を参照して説明する。
【００２２】
部品の構造および関係：
図１および図２を参照すると、支持体１０は、剛体のベースストリップ１２を含む。ベースストリップ１２は、典型的な携帯電子機器の長さと幅に適合するために細長いが、そうである必要はない。また、携帯電子機器の寸法は、時間の経過とともに変化する傾向があることに注目すべきである。さらに、様々な型の携帯電子機器があり、それぞれの携帯電子機器は寸法が異なる。図示するように、ベースストリップ１２は、幅より長く、第１端１４と、第２端１６と、上面１８と、下面２０とを有する。物質層２２は、ベースストリップ１２の上面１８に固定される。物質層２２は、ミクロ吸着カップ（マイクロ吸盤カップ）２４を有するテープである。図示するようにミクロ吸着カップは、上方に突出しているが、ミクロ吸着カップ２４は、「孔」としてテープ内に埋め込まれても利用できることに注目すべきである。この技術は、発展しつつあり、異なる名前により知られるようになろう。使用する名前にかかわらず、ミクロ吸着カップの等価物は、吸引力により対象と係合する上面を有するテープである。これは、粘着テープとは異なる。剛体の支持部材２６は、ベースストリップ１２の第２端１６にて上面１８から略垂直に延伸する。連結器２８は、剛体の支持部材２６を係合する目的のため、ベースストリップ１２の第２端１６にて上面１８に位置する。図４を参照すると、剛体の支持部材２６は連結器２８から着脱可能である。取付けバンド３０は、ベースストリップ１２の下面２０から垂れ下がって提供される。これは、ベースストリップ１２が取付けバンド３０によりユーザーの手に装着されることを可能にする。図３および図４を参照すると、ベースストリップ１２の下面２０は、取付けバンド凹部３２を有する。図３を参照すると、取付けバンド３０は、取付けバンド凹部３２内に格納位置を有する。取付けバンド３０の第１端３４は、アンカピン３６により取付けバンド凹部３２内に固定する。リダイレクトピン３８は、取付けバンド３０上に横たわっている。止め金具４０は、取付けバンド３０の第２端４２に固定する。取付けバンド３０は、取付けバンド凹部３２から垂れ下がっているが、取付けバンド３０の第２端４２にて、止め金具４０は、第２端４２がリダイレクトピン３８を越えて引き抜くことを妨げる。図４を参照すると、取付けバンド３０は、ベースストリップ１２の下面２０を越えて取付けバンド凹部３２から垂れ下がる操作位置を有する。図５を参照すると、連結器２８の好ましい形体は、ヒンジである。連結器２８がヒンジである場合、ヒンジ連結器は、剛体の支持部材２６がベースストリップ１２に平行な格納位置に回転し、上方に突出するミクロ吸着カップ２４を有する物質層２２と係合することを可能にする。
【００２３】
操作：
図５を参照すると、支持体１０は、格納位置に動かされている。図１および図２を参照すると、支持体１０が第１態様に従って用いられる場合、ベースストリップ１２の下面２０は、テーブル（図示せず）または同様の平面に置かれる。剛体の支持部材２６は、操作直立位置に回転する。携帯電子機器１００は、その後映画を観るまたはビデオ会議の目的のため、直立方向において支持される。帯電子機器のボトムエッジ１０２は、ベースストリップ１２上の物質層２２から上方に突出するミクロ吸着カップ２４により、選択された位置において係合する。携帯電子機器１００は、その後ベースストリップ１２の第２端１６にて、上面１８から略垂直に延伸する剛体の支持部材２６に立て掛けられる。図１を図２と比較すると、ユーザーは、物質層２２に沿って、携帯電子機器１００のために望ましい角度の位置決めを選択してもよいことがわかる。
【００２４】
図４を参照すると、支持体１０が第２態様に従って用いられる場合、剛体の支持部材２６は、連結器２８から取り外される、または格納位置に移動される。ベースストリップ１２は、その後取付けバンド３０によりユーザーの手（図示せず）に装着される。携帯電子機器１００の背部１０６は、物質層２２に横たわる。携帯電子機器１００は、携帯電子機器１００が使用の間に誤って落ちることから妨げることを助ける、ミクロ吸着カップ２４により適切な位置に保持される。
【００２５】
変形例：
支持体１０が第１態様または第２態様に従って用いられる場合、第１態様単独または第２態様単独に焦点を合わせる、より限定的な実施形態を望んでもよいことが理解される。
【００２６】
警告：
ミクロ吸着カップ技術は将来改良され得るが、現在のミクロ吸着カップ２４の保持力は限定されたものである。ミクロ吸着カップ２４が、第２態様に従って携帯電子機器１００を確実に保持するために、十分な表面領域被覆をしなければならない。
【００２７】
先行技術を超える利点
【００２８】
１．いくつかの先行技術の機器は、電話に貼付する粘着性ストリップを要求する。この粘着性ストリップは、「半永久的」取付である。取り除くことを意図しない。逆に、支持体１０のミクロ吸着カップ２４は、携帯電子機器を一時的な接続を用いて確実に保持する。これにより、支持体１０が多種にわたる携帯電子機器と使用される事が可能になる。このことは、その美的概観に悪い影響を及ぼす取付デバイスが携帯電子機器１００に固定されることを回避する。
【００２９】
２．支持体１０は、記載のとおり、上記した第１態様および第２態様に関して用いることにより、２つの先行技術の支持体の機能に取って代わる。
【００３０】
３．第１態様に従って使用する場合、携帯電子機器１００は所望の視角にて置くことができる。
【００３１】
図６から図８を参照すると、この商用バージョンの支持体１０は、構想段階を越えて、製造し、公衆に販売される用意があるバージョンである。上記で使用された同じ符号は、この商用バージョンの記載においても使用される。この商用バージョンは、上記の実施形態において存在しない要素を有し、新規な符号が割り当てられる。
【００３２】
図１０および図１１を参照すると、この実施形態において、剛体のベースストリップ１２は、楕円型形状のアルミニウムの本体５０を有する。本体５０は、周縁溝５２を有し、伸縮し、その本来の状態に弾性復帰する能力を有する、シリコーンゴムの取付バンド５４を収容する。シリコーンゴムの取付バンドは好ましいが、実験は、溝５２に沿って摺動し、引き出しのように出入りする金属バンドを用いて行った。重要な要素は、取付バンド５４が操作位置と格納位置を有することである。取付バンド５４は、周縁溝５２により収容され、周縁溝５２内に摩擦嵌合する。この位置において、取付バンド５４は、本体５０に美学上心地よい仕上げ、衝突保護を提供し、かつ、本体５０をユーザーの手に取り付けることができるように伸縮することができる。取付バンド５４が衝撃により取り外されることを防止するために、ホール５８を有し、それを通して取付ピン６０が延伸する、内側に突出した係合舌５６が提供される。取付ピン６０は、ホール５８を通して延伸するだけなく、本体５０において整列したホール６２を通して延伸するので、取付バンド５４は本体５０に固定される。取付バンド５４の一部がユーザーの手に固定される場合、上記係合によって、取付バンド５４がベースストリップ１２から外れることはない。
【００３３】
図７および図１０を参照すると、ベースストリップ１２の下面２０は平坦である。図１１を参照すると、ベースストリップ１２の上面１８は、中央部６６を取り囲む楕円形の溝６４を有する。図８を参照すると、上面１８の中央部６６は、中央部６６に粘着する物質層２２を支持する。物質層２２は、上方に突出するミクロ吸着カップ２４を有する。支持体１０が一時的に使用されるものであるため、接着剤は、上方に突出する表面に使用されるべきではなく、ミクロ吸着カップ２４または等価物のみが使用されるべきであることに注目する。図６を参照すると、楕円形の溝６４は、剛体の支持部材２６を収容する。剛体の支持部材２６は、ポリマープラスチックから楕円形の形状に作られるので、格納位置にある場合、楕円形の溝６４内に適合することができる。格納位置にある場合、剛体の支持部材２６が上面１８と略同じ高さになるために、これは、最初の実施形態を超える改良である。支持体１０がユーザーのポケットに挿入され、引き出される場合に、これは、剛体の支持部材２６が衣類に引っかかることがない。図８および図９を参照すると、操作位置において、剛体の支持部材２６は、ベースストリップ１２の第２端１６において、上面１８から略垂直に延伸する。楕円形の溝６４内の格納位置から操作位置へのこの回動を可能にする連結器２８は、ベースストリップ１２の第２端１６において上面１８に配置される。この実施形態において、連結器２８は、楕円形の溝６４内に嵌め込まれる。図１０および図１１を参照すると、連結器２８は、剛体の支持部材２６の端７０にわたって一体成型されるチューブ６８を含む。ピボットピン７２は、チューブ６８を通って延伸し、ヒンジを形成する。剛体の支持部材２６の回動は、楕円形の溝６４により制限されるので、操作位置にある場合、剛体の支持部材２６は、略垂直位置を越えることはできない。
【００３４】
商用バージョンの支持体１０の操作は、支持体１０の操作の記載と実質的な方法において何ら異ならない。図６および図７を参照すると、商用バージョンの支持体１０は、格納位置において、ユーザーのポケットに入れることができる。図８および図９を参照すると、ベースストリップ１２の下面２０は、テーブルまたは同様の平面上に置かれる。剛体の支持部材２６は、その後操作直立位置に回転する。携帯電子機器は、その後映画を観る、またはビデオ会議の目的のため、直立方向において支持される。携帯電子機器の底縁は、ベースストリップ１２の物質層２２から上方に突出するミクロ吸着カップ２４により、選択された位置において係合する。携帯電子機器は、剛体の支持部材２６に立て掛ける。ユーザーは、物質層２２に沿って携帯電子機器のために、任意の望ましい角度位置決めを選択する。物質層２２上のミクロ吸着カップ２４により提供される吸引力は、抵抗または摩擦を作り出し、携帯電子機器が上面１６を滑走することを妨げる。携帯電子機器は剛体の支持部材２６に立て掛け、剛体の支持部材２６は、立て掛ける力に抵抗するために十分に堅牢であることが必要であり、携帯電子機器全体の重さに耐えなくてもよい。ミクロ吸着カップは、携帯電子機器の表面にいかなる痕跡または残留物も残さず、携帯電子機器を容易に分離する。粘着の場合と同様に、恒久的または半恒久的な取付ではない。
【００３５】
商用バージョンの支持体１０が第２態様に従って使用される場合、剛体の支持部材２６は、回転し、格納位置に移動する。溝６４は、好ましくはミクロ吸着カップ２４と整合し、格納位置に剛体の支持部材２６を保持する。ベースストリップ１２は、その後取付バンド５４により、ユーザーの手（図示せず）に装着される。携帯電子機器１００の背部１０６は、その後物質層２２に横たわる。携帯電子機器１００は、携帯電子機器１００が使用の間に誤って落下することを妨げることを助けるミクロ吸着カップ２４により適切な位置に保持される。
【００３６】
この特許書類において、言語「備える」は、非限定的な意味において、言語の後に続く項目が含まれるが、特に言及されていない項目が排除されないことを意味して用いられる。不定冠詞「ａ」による要素の参照は、前後関係が、１つおよびただ１つの要素であることを明らかに要求する場合を除き、２つ以上の要素が存在する可能性を排除しない。
【００３７】
特許請求の範囲は、実施例として述べた示される実施形態により限定されるべきではなく、目的と一致する最も広い解釈が与えられるべきである。
【図１】
2020510895.tif 000003
【図２】
2020510895.tif 000004
【図３】
2020510895.tif 000005
【図４】
2020510895.tif 000006
【図５】
2020510895.tif 000007
【図６】
2020510895.tif 000008
【図７】
2020510895.tif 000009
【図８】
2020510895.tif 000010
【図９】
2020510895.tif 000011
【図１０】
2020510895.tif 000012
【図１１】
2020510895.tif 000013
【国際調査報告】
2020510895.tif 000014
2020510895.tif 000015